(57)【要約】  【課題】  吸込口における室内空気吸込時の空気抵抗を増加させることなく、室外空気を前記吸込口を臨ませたエアフィルタに均等分布させて導入できる換気装置を備えた壁掛け式の空気調和機を提供する。  【解決手段】  吸込グリル１を備えた吸込口２と吹出口３とを結ぶ空気通路に、エアフィルタ４と熱交換器５と送風ファン６とを備え、前記空気通路に室外空気を導入する換気装置10を備えてなる空気調和機において、前記換気装置10が、室外空気を前記吸込口２に導く換気口７と、同換気口７に連通して前記吸込口２から吸い込まれる室内空気の流通に影響を与えないように設けられ、前記吸込口２に室外空気を分布する換気孔８を備えた換気ダクト９とを備えてなる構成にした。【選択図】  図１
2006052876.tif 000002
【特許請求の範囲】
【請求項１】
吸込グリルを備えた吸込口と吹出口とを結ぶ空気通路に、エアフィルタと熱交換器と送風ファンとを備え、前記空気通路に室外空気を導入する換気装置を備えてなる空気調和機において、
前記換気装置が、室外空気を前記吸込口に導く換気口と、同換気口に連通して前記吸込口から吸い込まれる室内空気の流通に影響を与えないように設けられ、前記吸込口に室外空気を分布する換気孔を備えた換気ダクトとを備えてなることを特徴とする空気調和機。
【請求項２】
前記換気ダクトが、前記吸込グリルに一体的に形成されてなることを特徴とする請求項１に記載の空気調和機。
【請求項３】
前記換気孔が、前記エアフィルタに向けて室外空気を均等に分布するように配置されてなることを特徴とする請求項１に記載の空気調和機。
【発明の詳細な説明】
【技術分野】
【０００１】
本発明は、換気装置を備えた壁掛け式の空気調和機に係わり、より詳細には、室外空気を前記吸込口に導く換気口と、同吸込口から吸い込まれる室内空気の流通に影響を与えないように設けられ、前記吸込口に室外空気を分布する換気孔を備えた換気ダクトとを備えた換気装置の構造に関する。
【背景技術】
【０００２】
従来の空気調和機の換気装置には、室外空気を室内機内に取り入れるようにして、換気のために窓を開けたり、別に設けた換気扇を回したりすることなく、室内空気を清浄に保つようにするものとして、筐体上部の吸込口と、同筐体下部の吹出口を結ぶ空気通路にエアフィルタと、室内熱交換器と、送風ファン等を設け、室内壁面に据付板を介して取付けられる室内機に、壁面の外側からエアフィルタの前方に連通する吸気ダクトを設け、壁面の外側に吸気ダクトに室外空気を送り込む送風装置を設け、エアフィルタの前方に送出された室外空気と筐体上部の吸込口から吸い込まれた室内空気とをエアフィルタと室内熱交換器とを通して送風ファンにより室内に送出するようにした構成が開示されていた（例えば、特許文献１参照。）。
【０００３】
しかしながら、上記構成でなる空気調和機の換気装置においては、エアフィルタの前方に吸気ダクトが二つの流路に分岐した状態で配置されているが、この吸気ダクトが筐体上部の吸込口から室内空気が吸い込まれるときの空気抵抗になるため、室内空気を吸い込むときの吸込効率が低下してしまうという問題点を有していた。
【０００４】
また、室外空気は、分岐した吸気ダクトによりエアフィルタの前方に送出されるようになっているが、この吸気ダクトの出口に対向して室外空気が局所的に集中してしまうため、室内熱交換器による熱交換のバランスが崩れてしまったり、エアフィルタで塵埃を均一に除去することができないためメンテナンス性がよくないという問題点を有していた。
【０００５】
【特許文献１】特開平１０−２７４４２４号公報（第１頁〜第４頁、第１図〜第３図）
【発明の開示】
【発明が解決しようとする課題】
【０００６】
本発明は上記の問題点に鑑み、室外空気を前記吸込口に導く換気口と、同吸込口から吸い込まれる室内空気の流通に影響を与えないように設けられ、前記吸込口に室外空気を分布する換気孔を備えた換気ダクトとを備えてなる換気装置を接続した壁掛け式の空気調和機を提供することを目的とする。
【課題を解決するための手段】
【０００７】
本発明は、上記課題を解決するため、吸込グリルを備えた吸込口と吹出口とを結ぶ空気通路に、エアフィルタと熱交換器と送風ファンとを備え、前記空気通路に室外空気を導入する換気装置を備えてなる空気調和機において、
前記換気装置が、室外空気を前記吸込口に導く換気口と、同換気口に連通して前記吸込口から吸い込まれる室内空気の流通に影響を与えないように設けられ、前記吸込口に室外空気を分布する換気孔を備えた換気ダクトとを備えてなる構成となっている。
【０００８】
また、前記換気ダクトが、前記吸込グリルに一体的に形成されてなる構成となっている。
【０００９】
更に、前記換気孔が、前記エアフィルタに向けて室外空気を均等に分布するように配置されてなることを特徴とする
【発明の効果】
【００１０】
本発明によれば、室外空気を吸込口に導入する換気ダクトが、同吸込口から吸い込まれる室内空気の流通に影響を与えないように構成されているので、同吸込口から室内空気を吸い込むときの空気抵抗を増加させることなく、同吸込口を臨ませたエアフィルタに室外空気を均等に分布させるように導入し、熱交換器に偏りなく供給することにより熱交換のバランスを崩すことがないようにした空気調和機となる。
【発明を実施するための最良の形態】
【００１１】
以下、本発明の実施の形態を、添付図面に基づいた実施例として詳細に説明する。
図１は本発明による空気調和機の説明図で、（Ａ）は断面図、（Ｂ）は要部断面図であり、図２は本発明による空気調和機の説明図で、（Ａ）は吸込グリルの上部からみた上面図、（Ｂ）は吸込グリルの下部からみた上面図であり、図３は図２（Ｂ）で示すＡ部の拡大図である。
【実施例１】
【００１２】
本発明による空気調和機は、実施例１として図で示すように、上部に設けられた吸込グリル１を備えた吸込口２と、下部に設けられた吹出口３とを結ぶ空気通路に、エアフィルタ４と、熱交換器５と、送風ファン６とを設けて、前記吸込口２から吸い込まれた室内空気を前記熱交換器５で熱交換したのち、前記吹出口３から室内に吹き出して空気調和を行うと共に、室外空気を吸入する換気装置10を備えて換気を行えるようにした構成になっている。
【００１３】
前記換気装置５は、室外空気を導入するための換気ファン６と、同換気ファン６に連なり外壁面を貫通して室外空気を室内側に導き入れる換気風路とを備え、同換気風路は、前記吸込口２を臨ませた前記エアフィルタ４の上流に室外空気を導くための換気口７に接続されている。
【００１４】
前記換気口７には、前記エアフィルタ４に対向して複数の換気孔８を備えた換気ダクト９が連通されており、これにより、前記換気ファン６によって導入された室外空気は、前記エアフィルタ４に均等分布され、前記熱交換器５に偏りなく供給されることによって熱交換のバランスを崩すことがなくなる。
【００１５】
前記換気ダクト９は、例えば前記吸込グリル１を構成する縦桟1aおよび横桟1bに沿わせるように配置され、前記吸込口２から吸い込まれる室内空気の流通に影響を与えないように設けられることにより、同吸込口２から吸い込まれる室内空気の空気抵抗を増加させることがないように構成されている。
【００１６】
なお、本実施例１においては、前記換気ダクト９が、前記吸込グリル１の縦桟1aおよび横桟1bとは別部材のものとして構成されているのではなく、図３で示すように、前記吸込グリル１の縦桟1aおよび横桟1bに、前記エアフィルタ４に対向する前記換気孔８を備えて、前記換気口７に連通するように中空状に一体成形された構成になっている事例として説明する。
【００１７】
すなわち、前記吸込グリル１の縦桟1aおよび横桟1bが前記換気ダクト９を兼ねるようにした構成になっていることから、背景技術として上記した吸気ダクトのように、吸込口から室内空気が吸い込まれるときの空気抵抗になるおそれがなくなり、室内空気を吸い込むときの吸込効率が低下してしまうということがないので、前記吸込グリル１の吸込孔1cから室内空気を円滑に吸い込める。
【００１８】
また、前記複数の換気孔８は、前記エアフィルタ４に室外空気を均等に分布するように所定の間隔をおいて配置されることによって、前記エアフィルタ４の特定箇所に集中的に室外空気を当ててしまうということがないため、同エアフィルタ４によって捕捉された塵埃を吹き飛ばしてしまうということがなく、また上記したとおり、前記熱交換器５に偏りなく供給されるので熱交換のバランスを崩してしまうということがない。
【００１９】
なお、前記吸込グリル１の縦桟1aおよび横桟1bは、前記換気口７に近い位置ほど太く形成し、遠く離れた位置ほど細くなるよう先細状に形成する。
【００２０】
これにより、前記換気ダクト９を先細状に形成できるようになり、前記換気口７から導入される室外空気を効果的に導びくことができて、前記エアフィルタ４の全域に行き渡らせて均一に分布させることができるようになる。
【００２１】
また、前記複数の換気孔８は、前記換気口７から導入される室外空気を前記エアフィルタ４の全域に均一に分布させるため、その大きさや位置（ピッチ）については、前記吸込グリル１の縦桟1aおよび横桟1bの形状や寸法に対応して適宜設定をすればよい。
【００２２】
以上の構成により、室外空気を導入して換気するための前記換気ダクト９を、前記吸込グリル１の縦桟1aおよび横桟1bを利用して、中空形状にすることでこれら縦桟1aおよび横桟1bと一体的に形成したので、前記吸込口２から室内空気を吸い込むときの空気抵抗が増加してしまうということがない。
【００２３】
そして、前記エアフィルタ４の全域にわたって室外空気を均一に分布させるように導入し、且つ前記熱交換器５に対し偏りなく供給することによって熱交換のバランスを崩すことがない空気調和機となる。
【図面の簡単な説明】
【００２４】
【図１】本発明による空気調和機の説明図で、（Ａ）は断面図であり、（Ｂ）は要部断面図である。
【図２】本発明による空気調和機の説明図で、（Ａ）は吸込グリルの上部からみた上面図であり、（Ｂ）は吸込グリルの下部からみた上面図である。
【図３】図２（Ｂ）で示すＡ部の拡大図である。
【符号の説明】
【００２５】
１  吸込グリル
1a  縦桟
1b  横桟
1c  吸込孔
２  吸込口
３  吹出口
４  エアフィルタ
５  熱交換器
６  送風ファン
７  換気口
８  換気孔
９  換気ダクト
10  換気装置  
11  換気ファン
【図１】
2006052876.tif 000003
【図２】
2006052876.tif 000004
【図３】
2006052876.tif 000005